(57)【要約】【課題】  メニュー選択ボタンの選択のための首や体全体の動きを小さくでき、簡易にメニュー選択ボタンの選択を行うことができる画像表示装置を提供する。【解決手段】  表示制御部１２１が、初期メニュー選択画像として、視野領域の中心位置を中心として中心角が互いに等しい方向に存在し、視野領域の中心位置からの距離が等しい位置のそれぞれを中心点とする個別メニュー選択ボタンが配置された画像を、メニュー画像データに基づいて表示部１２５に表示させる。そして、初期メニュー選択画像の表示後には、表示制御部１２１が、視野領域の中心位置をカーソル位置とすることを維持しつつ、姿勢変化量検出部１２３による姿勢変化の検出結果に応じて、メニュー画像データに基づくメニュー選択画像を変化させる。【選択図】  図３
2017181738.tif 000002
【特許請求の範囲】
【請求項１】
利用者の頭部に装着される筐体部材と；
前記筐体部材に固定される表示部と；
仮想現実感を実現できるコンテンツ画像データ、及び、前記コンテンツ画像データの階層とは異なる階層のデータとされているメニュー画像データを含む表示用データが記憶された記憶部と；
前記筐体部材の姿勢の相対変化量を検出する姿勢変化量検出部と；
前記姿勢変化量検出部による検出結果に応じて、前記表示部における表示画像を変化させる表示制御部と；を備え、
前記表示制御部は、
初期メニュー選択画像として、視野領域の中心位置を中心として中心角が互いに等しい方向に存在し、前記視野領域の中心位置からの距離が等しい位置のそれぞれを中心点とする個別メニュー選択ボタンが配置された画像を、前記メニュー画像のデータに基づいて、視野領域内画像として前記表示部に表示させ、
前記初期メニュー選択画像の表示後においては、前記視野領域の中心位置をカーソル位置とすることを維持しつつ、前記姿勢変化量検出部による姿勢変化の検出結果に応じて、前記メニュー画像データに基づくメニュー選択画像を変化させる、
ことを特徴とする画像表示装置。
【請求項２】
前記表示制御部は、前記カーソル位置が、一の個別メニュー選択ボタンの選択領域に所定時間にわたって連続して存在した場合には、前記一の個別メニュー選択ボタンが選択されたと判断し、前記一の個別メニュー選択ボタンに対応する画像を、前記利用者の視野内画像として前記表示部に表示させる、ことを特徴とする請求項１に記載の画像表示装置。
【発明の詳細な説明】
【技術分野】
【０００１】
本発明は、画像表示装置に係り、特に、仮想現実感を実現できる画像を表示する画像表示装置に関する。
【背景技術】
【０００２】
近年、ヘッドマウントディスプレイによる画像表示により仮想現実感を提供する技術が注目されている。かかる技術として、いわゆる３６０°画像によりマンション室内の様子を表示することにより、実際のマンションのモデルルームへ足を運ぶことなく、マンション室内の様子を提示する技術が実用化されている（非特許文献１参照：以下、「従来例」と呼ぶ）。
【０００３】
この従来例の技術では、姿勢変化量の検出機能、画像表示機能、表示画像制御機能等を有するスマートフォン等の情報処理装置を、取り外し可能な態様でゴーグル筐体に取り付けることにより、仮想現実感を提供する画像表示装置を構成するようになっている。そして、姿勢変化量の検出結果に応じて、３６０°画像内における利用者の視野範囲を変化させることにより、姿勢変化に応じて、利用者が視認する画像を変化させる。
【０００４】
また、従来例の技術では、マンションの一室内の様子を表示するための３６０°画像内に別室内の様子を表示するための画像の選択用のソフトボタン（以下、「個別メニュー選択ボタン」とも呼ぶ）をちりばめて配置している。そして、一の個別メニュー選択ボタンの表示領域に視点を合わせた状態が、一定時間以上にわたって継続すると、当該一の個別メニュー選択ボタンが押された（選択された）と判断し、当該一の個別メニュー選択ボタンに対応する画像が表示されるようになっている。このため、マウス、キーボード等のハードウエア資源を用いずに、表示すべき画像の選択を行うことができるようになっている。
【先行技術文献】
【非特許文献】
【０００５】
【非特許文献１】チームラボ、“ハコマンションＶＲ”、［online］、2015/04/02、［平成２８年３月１日検索］、インターネット＜URL : http://www.team-lab.com/hakomanshonvr2015-2＞
【発明の概要】
【発明が解決しようとする課題】
【０００６】
上述したように、従来例の技術では、３６０°画像内に複数の個別メニュー選択ボタンをちりばめて配置している。このため、視認中の視野領域内画像と個別メニュー選択ボタンとの位置関係によっては、利用者が、首や体全体を大きく動かすことが必要となる。この結果、視野内画像の真後ろ側に配置された個別メニュー選択ボタン等の選択を簡易にできるとは言い難かった。
【０００７】
本発明は、上記の事情を鑑みてなされたものであり、個別メニュー選択ボタンの選択のための首や体全体の動きを小さくでき、簡易に個別メニュー選択ボタンの選択を行うことができる画像表示装置を提供することを目的とする。
【課題を解決するための手段】
【０００８】
本発明の画像表示装置は、利用者の頭部に装着される筐体部材と；前記筐体部材に固定される表示部と；仮想現実感を実現できるコンテンツ画像データ、及び、前記コンテンツ画像データの階層とは異なる階層のデータとされているメニュー画像データを含む表示用データが記憶された記憶部と；前記筐体部材の姿勢の相対変化量を検出する姿勢変化量検出部と；前記姿勢変化量検出部による検出結果に応じて、前記表示部における表示画像を変化させる表示制御部と；を備え、前記表示制御部は、初期メニュー選択画像として、視野領域の中心位置を中心として中心角が互いに等しい方向に存在し、前記視野領域の中心位置からの距離が等しい位置のそれぞれを中心点とする個別メニュー選択ボタンが配置された画像を、前記メニュー画像データに基づいて、視野領域内画像として前記表示部に表示させ、前記初期メニュー選択画像の表示後においては、前記視野領域の中心位置をカーソル位置とすることを維持しつつ、前記姿勢変化量検出部による姿勢変化の検出結果に応じて、前記メニュー画像データに基づくメニュー選択画像を変化させる、ことを特徴とする画像表示装置である。
【０００９】
この画像表示装置では、仮想現実感を実現できるコンテンツ画像データと、メニュー画像データとが、互いに異なる階層のデータとされている。このため、視野領域画像が、コンテンツ画像のどの部分の画像であるかにかかわらず視野領域内のコンテンツ画像に重ねて、又は、コンテンツ画像とは独立して、メニュー選択画像を視野内に表示させることができる。
【００１０】
そして、表示制御部が、初期メニュー選択画像として、視野領域の中心位置を中心として中心角が互いに等しい方向に存在し、視野領域の中心位置からの距離が等しい位置のそれぞれを中心点とする個別メニュー選択ボタンが配置された画像を、メニュー画像データに基づいて、表示部に表示させる。そして、初期メニュー選択画像の表示後には、表示制御部が、視野領域の中心位置をカーソル位置とすることを維持しつつ、姿勢変化量検出部による姿勢変化の検出結果に応じて、メニュー画像データに基づくメニュー選択画像を変化させる。
【００１１】
したがって、本発明の画像表示装置によれば、個別メニュー選択ボタンの選択のために行われる、個別メニュー選択ボタンの選択領域へのカーソルの移動を、首や体を大きく動かすことなく、小さな動きで実現でき、簡易に個別メニュー選択ボタンの選択を行うことができる。
【００１２】
本発明の画像表示装置では、前記表示制御部は、前記カーソル位置が、一の個別メニュー選択ボタンの選択領域に所定時間にわたって連続して存在した場合には、前記一の個別メニュー選択ボタンが選択されたと判断し、前記一の個別メニュー選択ボタンに対応する画像を、前記利用者の視野内画像として表示部に表示させる。この場合には、一の個別メニュー選択ボタンの選択までに、他の個別メニュー選択ボタンの選択領域を短時間で通過しても、当該他の個別メニュー選択ボタンに対応する画像が表示されることがない。このため、利用者の意図を反映した個別メニュー選択ボタンのみを選択することができる。
【発明の効果】
【００１３】
以上説明したように、本発明の画像表示装置によれば、個別メニュー選択ボタンの選択のための首や体全体の動きを小さくでき、簡易に個別メニュー選択ボタンの選択を行うことができるという効果を奏する。
【図面の簡単な説明】
【００１４】
【図１】本発明の一実施形態に係る画像表示装置の外観及び一部展開状態を示す斜視図である。
【図２】図１の表示面における表示領域の分割態様及び視野領域内画像を説明するための図である。
【図３】図１の表示処理装置の概略的な構成を示すブロック図である。
【図４】図３の表示用データの一例を示す図である。
【図５】画像表示装置の姿勢と視野領域との関係を説明するための図である。
【図６】画像表示装置の姿勢とメニュー選択画像の初期表示との関係を説明するための図である。
【図７】メニュー選択画像の例を示す図である。
【図８】メニュー選択画像表示中における画像表示装置の姿勢の変化に伴う視野内画像の変化例を説明するための図である。
【図９】メニュー選択画像の変形例を説明するための図である。
【発明を実施するための形態】
【００１５】
以下、本発明の一実施形態を、図１〜図８を参照して説明する。なお、以下の説明及び図面においては、同一又は同等な要素には同一の符号を付し、重複する説明を省略する。
【００１６】
［構成］
図１（Ａ）に示されるように、一実施形態に係る画像表示装置１００は、ゴーグル型の装置となっている。この画像表示装置１００は、筐体部材１１０と、表示処理装置１２０とを備えている。利用者は、画像表示装置１００を手に保持して、画像表示装置１００の後方側を顔の両眼部に押し当てつつ、頭部の姿勢を変化させることにより、仮想現実画像による仮想現実感を味わえるようになっている。
【００１７】
上記の筐体部材１１０は、例えば、プラスチック製の部材となっている。筐体部材１１０は、この図１（Ｂ）に示されるように、枠部材１１１と、遮眼部材１１２と、蓋部材１１３とを備えている。
【００１８】
上記の枠部材１１１は、筒状部材となっている。この枠部材１１１には、遮眼部材１１２が固定されるとともに、蓋部材１１３が連結されている。
【００１９】
上記の遮眼部材１１２は、前後方向及び上下方向に延びる平板状部材であり、枠部材１１１の中央部に固定されている。遮眼部材１１２により、利用者の左眼にとっては表示処理装置１２０における表示面ＤＳＰの左眼用領域が可視となるとともに、利用者の右眼にとっては表示処理装置１２０における表示面ＤＳＰの右眼用領域が可視となる。
【００２０】
上記の蓋部材１１３は、枠部材１１１の前方の下縁部に、開閉可能に連結されている。この蓋部材１１３には、表示処理装置１２０が着脱可能に取り付けられる。そして、表示処理装置１２０が取り付けられた状態で、蓋部材１１３を枠部材１１１に対して閉じることにより、上述した図１（Ａ）に示される状態となる。
【００２１】
なお、図２（Ａ）に示されるように、表示処理装置１２０における表示面ＤＳＰの左眼用領域ＬＶＰには、左眼用画像が表示される。また、表示処理装置１２０における表示面ＤＳＰの右眼用領域ＲＶＰには、右眼用画像が表示される。かかる左眼用画像を左眼で視るとともに、右眼用画像を右眼で視ることにより、図２（Ｂ）に示されるように、視野領域ＶＳＰ内画像として立体感のある両眼視画像を視ることができるようになっている。
【００２２】
＜表示処理装置１２０の構成＞
次に、上記の表示処理装置１２０の構成について説明する。
【００２３】
この表示処理装置１２０は、図３に示されるように、表示制御部１２１と、記憶部１２２とを備えている。また、表示処理装置１２０は、姿勢変化量検出部１２３と、無線通信部１２４と、表示部１２５とを備えている。
【００２４】
上記の表示制御部１２１は、表示処理装置１２０の全体を統括制御する。なお、表示制御部１２１については、後述する。
【００２５】
上記の記憶部１２２は、不揮発性の記憶素子を備えて構成されている。この記憶部１２２には、表示制御部１２１が利用する様々な情報データが記憶される。かかる情報データには、表示制御部１２１が実行するプログラム、表示用データＩＭＤ等が含まれている。この記憶部１２２には、表示制御部１２１がアクセス可能となっている。
【００２６】
なお、表示用データＩＭＤの内容については、後述する。
【００２７】
上記の姿勢変化量検出部１２３は、３次元ジャイロセンサ等を備えて構成されている。この姿勢変化量検出部１２３は、各時点の３次元角速度を検出する。姿勢変化量検出部１２３による検出結果は、表示制御部１２１へ送られる。
【００２８】
上記の無線通信部１２４は、ネットワークを介して、外部のサーバ装置との間で通信を行う。本実施形態では、無線通信部１２４を利用することにより、表示制御部１２１が、外部のコンテンツサーバと通信し、表示用データをダウンロードするようになっている。
【００２９】
上記の表示部１２５は、液晶ディスプレイ等の表示デバイスを備えて構成されている。この表示デバイスの表示面が、上述した表示面ＤＳＰとなっている。
【００３０】
この表示部１２５は、表示制御部１２１から送られた画像データを受ける。そして、表示部１２５は、当該画像データに従って、画像を表示する。
【００３１】
ここで、記憶部１２２に記憶される表示用データＩＭＤについて説明する。この表示用データＩＭＤは、図４に示されるように、メニュー画像データＭＮＤと、コンテンツ画像データＣＴＤとを含んでいる。
【００３２】
コンテンツ画像データＣＴＤは、個別コンテンツ画像データＣＴＤj（ｊ＝１，…，Ｎ）を含んでいる。ここで、個別コンテンツ画像データＣＴＤjのそれぞれは、３６０°画像のデータとなっている。本実施形態では、値Ｎが「８」となっている。
【００３３】
メニュー画像データＭＮＤに基づいて表示されるメニュー選択画像を利用して、利用者が表示を希望する個別コンテンツ画像データに対応する個別コンテンツ画像を選択する。ここで、メニュー選択画像は、個別コンテンツ画像とは異なる階層の画像となっている。このため、頭部や体の姿勢に応じた画像表示装置１００の姿勢がどのような姿勢であっても、視野領域ＶＳＰ内にメニュー選択画像を表示できるようになっている。
【００３４】
図３に戻り、表示制御部１２１について説明する。この表示制御部１２１は、中央処理装置（ＣＰＵ：Central Processing Unit）を備えて構成されている。表示制御部１２１は、様々なプログラムを実行することにより、以下の処理を実行するようになっている。
【００３５】
［表示制御部１２１による表示制御処理］
表示制御部１２１は、無線通信部１２４を利用して、外部のサーバ装置との間で通信を行って、表示用データをダウンロードする。そして、表示制御部１２１は、ダウンロードした表示用データを、表示用データＩＭＤとして、記憶部１２２に格納する。
【００３６】
また、表示制御部１２１は、メニュー選択画像の表示が指定されると、メニュー画像データＭＮＤに基づいて、メニュー選択画像の表示用の画像データを生成する。そして、表示制御部１２１は、生成された当該画像データを表示部１２５へ送る。この結果、表示部１２５の表示画面ＤＳＰには、メニュー選択画像が表示される。
【００３７】
なお、個別コンテンツ画像の表示中にもメニュー選択画像の表示が可能となっている。個別コンテンツ画像の表示中にメニュー選択画像の表示が指定されると、視野領域ＶＳＰ内に表示中の個別コンテンツ画像に重ねて、メニュー選択画像が視野領域ＶＳＰ内に表示されるようになっている。
【００３８】
また、表示されたメニュー選択画像を利用して、後述するようにして個別コンテンツ画像の１つが選択されると、表示制御部１２１は、選択された個別コンテンツ画像について定義された初期方向の位置が、視野領域ＶＳＰの中心位置となる態様の画像データを生成する。そして、表示制御部１２１は、生成された当該画像データを表示部１２５へ送る。この結果、選択された個別コンテンツ画像について定義された初期方向の位置が視野領域ＶＳＰの中心位置となっている態様の画像が、表示部１２５の表示画面ＤＳＰに表示される。かかる場合の初期方向と視野領域ＶＳＰとの関係が、図５（Ａ）に示されている。
【００３９】
選択された個別コンテンツ画像の表示開始後、頭部や体の姿勢が変化して画像表示装置１００の姿勢が変化すると、当該変化に対応する３次元角速度が、姿勢変化量検出部１２３により検出され、検出結果が表示制御部１２１へ逐次送られる。かかる姿勢変化量検出部１２３による検出結果を受けると、表示制御部１２１は、画像表示装置１００の姿勢の変化を算出する。そして、表示制御部１２１は、算出された姿勢に対応する視野領域ＶＳＰを特定し、特定された視野領域ＶＳＰ内画像の画像データを生成する。そして、表示制御部１２１は、生成された当該画像データを表示部１２５へ送る。この結果、画像表示装置１００の姿勢に対応する視野領域ＶＳＰ内の画像が、表示部１２５の表示画面ＤＳＰに表示される。
【００４０】
なお、図５（Ｂ）には、図５（Ａ）に示される状態から、右９０°だけ画像表示装置１００の姿勢が変化した場合の視野領域ＶＳＰが示されている。
【００４１】
また、図６（Ａ）には、図５（Ａ）に示される状態でメニュー選択画像の表示が指定された場合のメニュー選択画像の表示位置が示されている。さらに、図６（Ｂ）には、図５（Ｂ）に示される状態でメニュー選択画像の表示が指定された場合のメニュー選択画像の表示位置が示されている。
【００４２】
＜メニュー選択画像＞
次いで、記憶部１２２に格納されているメニュー画像ＭＮＤに基づくメニュー選択画像について説明する。
【００４３】
当該メニュー選択画像は、図７（Ａ）に示されるように、Ｎ（上述したように、本実施形態では、「８」）個の個別メニュー選択ボタン（本実施系形態では、円形）＃１〜＃８の画像と、図７（Ａ）においてクロスハッチが付されたメニュー中心領域画像（本実施系形態では、円形）とから構成されている。ここで、個別メニュー選択ボタン＃ｋ（ｋ＝１〜８）が、記憶部１２２に格納されている個別コンテンツ画像データＣＴＤkに対応している。メニュー選択画像では、メニュー中心領域の中心位置を中心として中心角が互いに等しい方向に存在し、視野領域の中心位置からの距離が等しい位置のそれぞれを中心点とする領域に、個別メニュー選択ボタン＃１〜＃８が配置されている。
【００４４】
なお、図７（Ａ）には、メニュー選択画像の表示が指定された直後における視野領域ＶＳＰ内のメニュー選択画像（初期メニュー選択画像）が示されている。この図７（Ａ）に示されるように、初期メニュー選択画像では、初期メニュー選択画像におけるメニュー中心領域の中心位置が、視野領域ＶＳＰの中心位置と一致するようになっている。そして、図７（Ａ）に示されるように、視野領域ＶＳＰの中心位置が、黒色十字で示されるカーソルの位置となっている。また、図７（Ａ）には、メニュー選択画像の表示指定の直前の表示画像が個別コンテンツ画像＃１であった場合に対応して、当該直前の表示画像が個別コンテンツ画像＃１であることを示すために、個別メニュー選択ボタン＃１の円周部が太線表示されて強調されている例が示されている。
【００４５】
かかる初期メニュー選択画像及びその後に表示されるメニュー選択画像では、図７（Ｂ）に示されるように、個別メニュー選択ボタン＃ｋのそれぞれに対応してボタン選択領域ＢＳＡkが定義されている。本実施形態では、ボタン選択領域ＢＳＡkは、メニュー中心領域のすぐ外側から、メニュー中心領域の中心位置を中心として放射状に延びる領域であって、個別メニュー選択ボタン＃ｋの表示領域を含む扇形の領域となっている。そして、ボタン選択領域相互間では、重複領域が存在しないようになっている。
【００４６】
＜メニュー選択処理＞
次に、表示制御部１２１により実行されるメニュー選択処理について説明する。
【００４７】
表示制御部１２１は、メニュー選択画像の表示が指定されると、メニュー選択処理を開始する。かかるメニュー選択処理に際して、表示制御部１２１は、まず、記憶部１２２に格納されているメニュー画像データＭＮＤに基づいて、上述した初期メニュー選択画像を表示するための画像データを生成する。そして、表示制御部１２１は、生成された当該画像データを表示部１２５へ送る。この結果、図７（Ａ）を再掲する図８（Ａ）に示される初期メニュー選択画像が、表示部１２５の表示画面ＤＳＰに表示される。
【００４８】
次に、メニュー選択のために、利用者が頭部又は体の姿勢を変化させることにより画像表示装置１００の姿勢を変化させると、その姿勢変化に対応する３次元角速度が姿勢変化量検出部１２３により検出される。そして、姿勢変化量検出部１２３は、逐次、検出結果を表示制御部１２１へ送る。
【００４９】
こうして姿勢変化量検出部１２３の検出結果を逐次受けると、表示制御部１２１は、各時点における初期メニュー選択画像表示時点からの画像表示装置１００の姿勢変化量を算出する。そして、表示制御部１２１は、視野領域ＶＳＰの中心位置がカーソル位置であることを維持しつつ、初期メニュー選択画像表示時点からの姿勢変化量に対応したカーソル位置とメニュー選択画像との位置関係となるメニュー選択画像を表示するための画像データを生成する。そして、表示制御部１２１は、生成された当該画像データを表示部１２５へ送る。この結果、初期メニュー選択画像表示時点からの姿勢変化量に対応したカーソル位置とメニュー選択画像との位置関係となるメニュー選択画像が、表示部１２５の表示画面ＤＳＰに表示される。
【００５０】
そして、カーソル位置が、メニュー選択画像における一のボタン選択領域内の位置となると、対応する一の個別メニュー選択ボタンを強調表示する。本実施形態では、当該強調表示が、当該一の個別メニュー選択ボタンを拡大する表示となっている。
【００５１】
こうして、カーソル位置が、メニュー選択画像における一のボタン選択領域内の位置である期間長が所定時間（例えば、３秒）に達すると、表示制御部１２１は、対応する一の個別メニュー選択ボタンが選択されたと判断する。そして、表示制御部１２１は、選択された個別メニュー選択ボタンに対応する個別コンテンツ画像データに基づく個別コンテンツ画像を表示するための画像データを生成する。そして、表示制御部１２１は、生成された当該画像データを表示部１２５へ送る。この結果、選択された個別メニュー選択ボタンに対応する個別コンテンツ画像の初期画像が、表示部１２５の表示画面ＤＳＰに表示される。
【００５２】
なお、所定時間は、個別メニュー選択ボタンの誤選択の防止、及び、個別メニュー選択ボタンの選択の迅速性の観点から、実験、シミュレーション、経験等に基づいて、予め定められる。
【００５３】
一方、カーソル位置が、所定時間未満で、メニュー選択画像における一のボタン選択領域内の位置から外れると、表示制御部１２１は、初期メニュー選択画像の表示時点からの姿勢変化量に対応したカーソル位置とメニュー選択画像との位置関係となっているメニュー選択画像の表示のための処理を継続する。
【００５４】
なお、図８（Ｂ）には、個別メニュー選択ボタン＃４へ向かう方向に姿勢変化が行われているが、カーソルがボタン選択領域ＢＳＡ4に達する前の時点において視野領域ＶＳＰ内に表示されるメニュー選択画像の例が示されている。また、図８（Ｃ）には、カーソルがボタン選択領域ＢＳＡ4に達した場合に視野領域ＶＳＰ内に表示されるメニュー選択画像の例が示されている。
【００５５】
以上説明したように、本実施形態では、仮想現実感を実現できる個別コンテンツ画像データＣＴＤkと、メニュー画像データＭＮＤとが、互いに異なる階層のデータとされている。このため、視野領域ＶＳＰ内の画像が、個別コンテンツ画像のどの部分の画像であるかにかかわらず、視野領域ＶＳＰ内の個別コンテンツ画像に重ねて、又は、個別コンテンツ画像とは独立して、メニュー選択画像を視野領域ＶＳＰ内に表示させることができる。
【００５６】
そして、表示制御部１２１が、初期メニュー選択画像として、視野領域ＶＳＰの中心位置を中心として中心角が互いに等しい方向に存在し、視野領域ＶＳＰの中心位置からの距離が等しい位置を中心点とする個別メニュー選択ボタンが配置された画像を、メニュー画像データＭＮＤに基づいて、表示部１２５に表示させる。そして、初期メニュー選択画像の表示後には、表示制御部１２１が、視野領域ＶＳＰの中心位置をカーソル位置とすることを維持しつつ、姿勢変化量検出部１２３による姿勢変化の検出結果に応じて、メニュー画像データＭＮＤに基づくメニュー選択画像を変化させる。
【００５７】
したがって、本実施形態によれば、個別メニュー選択ボタンの選択のために行われる、個別メニュー選択ボタンの選択領域へのカーソルの移動を、首や体を大きく動かすことなく、小さな動きで実現でき、簡易に個別メニュー選択ボタンの選択を行うことができる。
【００５８】
また、本実施形態では、表示制御部１２１は、カーソル位置が一の個別メニュー選択ボタンの選択領域に所定時間にわたって連続して存在した場合には、当該一の個別メニュー選択ボタンが選択されたと判断する。そして、表示制御部１２１は、選択された個別メニュー選択ボタンに対応する個別コンテンツ画像を、視野領域ＶＳＰ内画像として表示部１２５に表示させる。この場合には、一の個別メニュー選択ボタンの選択までに、他の個別メニュー選択ボタンの選択領域を短時間で通過しても、当該他の個別メニュー選択ボタンに対応する画像が表示されることがない。このため、利用者の意図を反映した個別メニュー選択ボタンのみを選択することができる。
【００５９】
［実施形態の変形］
本発明は、上記の実施形態に限定されるものではなく、様々な変形が可能である。
【００６０】
例えば、上記の実施形態では、メニュー選択画像における中心領域及び個別メニュー選択ボタンの形状を円形としたが、任意の正多角形等の任意の形状としてもよい。
【００６１】
また、上記の実施形態における個別コンテンツ画像を３６０°画像としたが、他の種類の画像としてもよい。さらに、個別コンテンツ画像は、動画であってもよいし、静止画であってもよい。
【００６２】
また、上記実施形態では、利用者の左眼にとっては表示処理装置１２０における表示面ＤＳＰの左眼用領域を可視とするとともに、利用者の右眼にとっては表示処理装置１２０における表示面ＤＳＰの右眼用領域を可視とするために、遮眼部材１１２のみを用いるようにした。これに対し、レンズ系を含む光学系を更に用いるようにしてもよい。
【００６３】
また、上記の実施形態では、表示用データを外部のサーバ装置からダウンロードするようにしたが、ＵＳＢメモリ等の可搬形の記憶装置を利用して、画像表示装置に提供するようにしてもよい。
【００６４】
また、上記の実施形態では、画像表示装置の内部に保持される表示用データの種類の数を１個としたが、複数個としてもよい。この場合には、表示用データを選択するためのメニュー選択画像が必要となるが、かかる場合も上記の実施形態と同様の表示及び選択の制御を行うようにすればよい。
【００６５】
また、上記の実施形態では、個別メニュー選択ボタンの数Ｎを「８」としたが、他の数としてもよい。図９には、Ｎ＝３，４，５の場合のメニュー選択画像及びボタン選択領域の例が示されている。
【００６６】
また、上記の実施形態の表示処理装置としては、スマートフォン等の汎用的な装置を採用することができる。なお、表示処理装置は、スマートフォンに限定されない。
【００６７】
また、上記の実施形態では、表示処理装置を筐体部材に着脱自在に取り付けるようにしたが、表示処理装置を筐体部材に固定的に取り付けるようにしてもよい。
【００６８】
なお、本発明をヘッドマウントディスプレイとして機能する任意の画像表示装置に適用することができるのは、勿論である。
【産業上の利用可能性】
【００６９】
以上説明したように、本発明は、仮想現実感を実現できる画像を利用者に提供する画像表示装置に適用することができる。
【符号の説明】
【００７０】
１００…画像表示装置、１１０…筐体部材、１１１…枠部材、１１２…遮眼部材、１１３…蓋部材、１２０…表示処理装置、１２１…表示制御部、１２２…記憶部、１２３…姿勢変化量検出部、１２４…無線通信部、１２５…表示部。
【図１】
2017181738.tif 000003
【図２】
2017181738.tif 000004
【図３】
2017181738.tif 000005
【図４】
2017181738.tif 000006
【図５】
2017181738.tif 000007
【図６】
2017181738.tif 000008
【図７】
2017181738.tif 000009
【図８】
2017181738.tif 000010
【図９】
2017181738.tif 000011